(57)【要約】【課題】少ない部品点数で排気ファンの故障を検出するエレベータ制御装置を提供する。【解決手段】エレベータ制御装置は、排気ファンと吸気ファンとを同時に駆動させる駆動指令を出力するファン駆動部と、前記ファン駆動部が前記吸気ファンからの風力により前記排気ファンが共回りしない設定の駆動指令で前記排気ファンと前記吸気ファンを駆動させた際に、前記排気ファンの回転を検出しない場合に前記排気ファンが故障していると判定する故障ファン判別部と、を備えた。当該構成を備えることにより、少ない部品点数で排気ファンの故障を検出する。【選択図】図２
2020169074.tif 000002
【特許請求の範囲】
【請求項１】
排気ファンと吸気ファンとを同時に駆動させる駆動指令を出力するファン駆動部と、
前記ファン駆動部が前記吸気ファンからの風力により前記排気ファンが共回りしない設定の駆動指令で前記排気ファンと前記吸気ファンを駆動させた際に、前記排気ファンの回転を検出しない場合に前記排気ファンが故障していると判定する故障ファン判別部と、
を備えたエレベータ制御装置。
【請求項２】
前記故障ファン判別部は、前記ファン駆動部が前記吸気ファンからの風力により前記排気ファンが共回りする設定の駆動指令で前記吸気ファンを駆動させた際に、前記排気ファンの回転を検出しない場合に前記吸気ファンが故障していると判定する請求項１に記載のエレベータ制御装置。
【請求項３】
前記排気ファンまたは前記吸気ファンの故障の情報を外部に発報するエレベータ異常発報部を備えた請求項１または請求項２に記載のエレベータ制御装置。
【発明の詳細な説明】
【技術分野】
【０００１】
この発明は、エレベータ制御装置に関する。
【背景技術】
【０００２】
特許文献１は、冷却ファンの故障診断システムを開示する。当該故障診断システムによれば、冷却ファンの故障を検出することができる。
【先行技術文献】
【特許文献】
【０００３】
【特許文献１】特開２０１０−７３９９５号公報
【発明の概要】
【発明が解決しようとする課題】
【０００４】
しかしながら、特許文献１に記載の冷却ファンの故障診断システムは、第１の冷却ファンと第２の冷却ファンを別々に駆動するために第１の冷却ファンと第２の冷却ファンにそれぞれ駆動部および監視部が必要となる。このため、当該冷却ファンの故障診断システムをエレベータ制御装置に適用すると、エレベータ制御装置が大型化し、エレベータ制御装置の費用が増加する。
【０００５】
この発明は、上述の課題を解決するためになされた。この発明の目的は、少ない部品点数で排気ファンの故障を検出するエレベータ制御装置を提供することである。
【課題を解決するための手段】
【０００６】
この発明に係るエレベータ制御装置は、排気ファンと吸気ファンとを同時に駆動させる駆動指令を出力するファン駆動部と、前記ファン駆動部が前記吸気ファンからの風力により前記排気ファンが共回りしない設定の駆動指令で前記排気ファンと前記吸気ファンを駆動させた際に、前記排気ファンの回転を検出しない場合に前記排気ファンが故障していると判定する故障ファン判別部と、を備えた。
【発明の効果】
【０００７】
この発明によれば、エレベータ制御装置は、排気ファンと吸気ファンとが同時に駆動された際に、排気ファンの故障を判定することができる。このため、少ない部品点数で排気ファンの故障を検出するエレベータ制御装置を提供することができる。
【図面の簡単な説明】
【０００８】
【図１】実施の形態１におけるエレベータ制御装置の吸気ファンと排気ファンの概略図である。
【図２】実施の形態１におけるエレベータ制御装置のブロック図である。
【図３】実施の形態１におけるエレベータ制御装置の概要を説明するためのフローチャートである。
【図４】実施の形態１におけるエレベータ制御装置の要部のハードウェア構成図である。
【発明を実施するための形態】
【０００９】
この発明を実施するための形態について添付の図面に従って説明する。なお、各図中、同一または相当する部分には同一の符号が付される。当該部分の重複説明は適宜に簡略化ないし省略される。
【００１０】
実施の形態１．
図１は実施の形態１におけるエレベータ制御装置の吸気ファンと排気ファンの概略図である。
【００１１】
排気ファン１および吸気ファン２は、エレベータ制御装置３の内部の冷却装置として風道を構成する。排気ファン１は、吸気ファン２が回転することにより発生する風力が大きい場合、吸気ファン２が発生させる風力により共回りする。
【００１２】
次に、図２を用いて、エレベータ制御装置の構成を説明する。
図２は実施の形態１におけるエレベータ制御装置のブロック図である。
【００１３】
エレベータ制御装置３は、ファン駆動部４とファン故障信号受信部５と故障ファン判別部６とエレベータ異常発報部７とを備える。
【００１４】
ファン駆動部４の出力部は、排気ファン１の入力部および吸気ファン２の入力部に接続される。ファン故障信号受信部５の入力部は、排気ファン１の出力部および吸気ファン２の出力部に接続される。故障ファン判別部６の入力部は、ファン故障信号受信部５の出力部に接続される。エレベータ異常発報部７の入力部は、故障ファン判別部６の出力部に接続される。
【００１５】
ファン駆動部４は、排気ファン１および吸気ファン２を同時に駆動させる。ファン故障信号受信部５は、排気ファン１が故障により回転を停止した際に送信する故障信号を受信する。故障ファン判別部６は、排気ファン１と吸気ファン２のうち、故障したファンを判別する。エレベータ異常発報部７は、故障ファン判別部６が判別した故障したファンの情報を外部へ発報する。
【００１６】
次に、図３を用いて、エレベータ制御装置３の動作を説明する。
図３は実施の形態１におけるエレベータ制御装置の概要を説明するためのフローチャートである。
【００１７】
本実施の形態では、エレベータ制御装置３は、排気ファン１および吸気ファン２の故障の検出を電子機器の冷却が必要ないエレベータシステムの休止中に行う。
【００１８】
ステップＳ１では、エレベータ制御装置３は、エレベータシステムが休止中であるか否かを判定する。
【００１９】
ステップＳ１でＮＯと判定された場合、エレベータ制御装置３は、エレベータの通常運転を継続する。
【００２０】
ステップＳ１でＹＥＳと判定された場合、ファン駆動部４は、ステップＳ２の動作を行う。ステップＳ２では、ファン駆動部４は、排気ファン１および吸気ファン２を低い回転数で駆動させる駆動指令を出力する。具体的には、ファン駆動部４は、吸気ファン２からの風力により排気ファン１が共回りしないＤｕｔｙ比率の駆動指令で排気ファン１および吸気ファン２を回転させる。例えば、ファン駆動部４は、排気ファン１および吸気ファン２をＤｕｔｙ比１０％で駆動させる。
【００２１】
その後、ファン故障信号受信部５は、ステップＳ３の動作を行う。ステップＳ３では、ファン故障信号受信部５は、故障信号を検出したか否かを判定する。
【００２２】
ステップＳ３でＹＥＳと判定された場合、ファン駆動部４は、ステップＳ４の動作を行う。ステップＳ４では、ファン駆動部４は、排気ファン１および吸気ファン２を高い回転数で駆動させる。具体的には、ファン駆動部４は、吸気ファン２からの風力により排気ファン１が共回りするＤｕｔｙ比率で排気ファン１および吸気ファン２を回転させる。例えば、ファン駆動部４は、排気ファン１および吸気ファン２をＤｕｔｙ比１００％で駆動させる。
【００２３】
その後、ファン故障信号受信部５は、ステップＳ５の動作を行う。ステップＳ５では、ファン故障信号受信部５は、故障信号を検出したか否かを判定する。
【００２４】
ステップＳ５でＹＥＳと判定された場合、故障ファン判別部６は、第１ケースと判定する。具体的には、第１ケースでは、故障ファン判別部６は、排気ファン１および吸気ファン２が故障していると判別する。
【００２５】
ステップＳ５でＮＯと判定された場合、故障ファン判別部６は、第２ケースと判定する。具体的には、第２ケースでは、故障ファン判別部６は、吸気ファン２は故障しておらず排気ファン１が故障していると判別する。
【００２６】
ステップＳ３でＮＯと判定された場合、ファン駆動部４は、ステップＳ６の動作を行う。
【００２７】
ステップＳ６では、ファン駆動部４は、排気ファン１および吸気ファン２を高い回転数で駆動させる。具体的には、ファン駆動部４は、吸気ファン２からの風力により排気ファン１が共回りするＤｕｔｙ比率で排気ファン１および吸気ファン２を回転させる。例えば、ファン駆動部４は、排気ファン１および吸気ファン２をＤｕｔｙ比１００％で駆動させる。
【００２８】
その後、ファン故障信号受信部５は、ステップＳ７の動作を行う。ステップＳ７では、ファン故障信号受信部５は、故障信号を検出したか否かを判定する。
【００２９】
ステップＳ７でＹＥＳと判定された場合、故障ファン判別部６は、第３ケースと判定する。具体的には、第３ケースでは、故障ファン判別部６は、排気ファン１または吸気ファン２に判別不能な異常があると判定する。
【００３０】
ステップＳ７でＮＯと判定された場合、故障ファン判別部６は、第４ケースと判定する。具体的には、第４ケースでは、故障ファン判別部６は、排気ファン１および吸気ファン２は故障していないと判別する。
【００３１】
排気ファン１は、ファン駆動部４により低い回転数で駆動される際、吸気ファン２が発生させる風力では共回りしない。このとき、排気ファン１が故障している場合は、排気ファン１は、回転しない。この場合、排気ファン１は、ファン故障信号受信部５に故障信号を発信する。この結果、故障ファン判別部６は、第１ケースおよび第２ケースにおいて、排気ファン１が故障していると判別し、第４ケースにおいて、排気ファン１が故障していないと判別することができる。
【００３２】
排気ファン１は、ファン駆動部４により高い回転数で駆動される際、吸気ファン２が発生させる風力で共回りする。このとき、吸気ファン２が故障している場合は、排気ファン１は、吸気ファン２が風力を発生させないので回転しない。この場合、排気ファン１は、ファン故障信号受信部５に故障信号を発信する。この結果、故障ファン判別部６は、第１ケースにおいて、吸気ファン２が故障していると判別し、第４ケースにおいて、吸気ファン２が故障していないと判別することができる。
【００３３】
なお、エレベータ異常発報部７は、故障ファン判別部６が判別した第１ケースから第４ケースの判別結果を外部へ発報する。
【００３４】
以上で説明した実施の形態１によれば、エレベータ制御装置３は、排気ファン１と吸気ファン２とが同時に駆動された際に、排気ファン１の故障を判定する。このため、少ない部品点数で排気ファン１の故障を検出することができる。
【００３５】
特に、発熱量の多い電子機器を内蔵したエレベータ制御装置３においては、排気ファン１は、温度上昇した空気を受ける。このため、排気ファン１の寿命は、吸気ファン２の寿命よりも短い。これに対し、本実施の形態のエレベータ制御装置３によれば、排気ファン１の故障を容易かつ確実に検出することができる。
【００３６】
また、エレベータ制御装置３は、排気ファン１と吸気ファン２とが同時に駆動された際に、吸気ファン２の故障を判定する。このため、少ない部品点数で吸気ファン２の故障を検出することができる。
【００３７】
また、エレベータ制御装置３は、排気ファン１または吸気ファン２の故障の情報を外部に報知する。このため、エレベータの点検者は、報知された故障の情報に基づいて点検等の作業をすることができる。
【００３８】
なお、図３のステップＳ２において、吸気ファン２からの風力により排気ファン１が共回りしない設定の駆動指令で排気ファン１および吸気ファン２を回転させるのであれば、駆動方式は限定されない。
【００３９】
また、図３のステップＳ４、Ｓ６において、吸気ファン２からの風力により排気ファン１が共回りする設定の駆動指令で排気ファン１および吸気ファン２を回転させるのであれば、駆動方式は限定されない。
【００４０】
次に、図４を用いて、エレベータ制御装置３の要部の例を説明する。
図４は実施の形態１におけるエレベータ制御装置の要部のハードウェア構成図である。
【００４１】
エレベータ制御装置３の要部の各機能は、処理回路により実現し得る。例えば、処理回路は、少なくとも１つのプロセッサ１００ａと少なくとも１つのメモリ１００ｂとを備える。例えば、処理回路は、少なくとも１つの専用のハードウェア２００を備える。
【００４２】
処理回路が少なくとも１つのプロセッサ１００ａと少なくとも１つのメモリ１００ｂとを備える場合、エレベータ制御装置３の要部の各機能は、ソフトウェア、ファームウェア、またはソフトウェアとファームウェアとの組み合わせで実現される。ソフトウェアおよびファームウェアの少なくとも一方は、プログラムとして記述される。ソフトウェアおよびファームウェアの少なくとも一方は、少なくとも１つのメモリ１００ｂに格納される。少なくとも１つのプロセッサ１００ａは、少なくとも１つのメモリ１００ｂに記憶されたプログラムを読み出して実行することにより、エレベータ制御装置３の要部の各機能を実現する。少なくとも１つのプロセッサ１００ａは、中央処理装置、処理装置、演算装置、マイクロプロセッサ、マイクロコンピュータ、ＤＳＰともいう。例えば、少なくとも１つのメモリ１００ｂは、ＲＡＭ、ＲＯＭ、フラッシュメモリ、ＥＰＲＯＭ、ＥＥＰＲＯＭ等の、不揮発性または揮発性の半導体メモリ、磁気ディスク、フレキシブルディスク、光ディスク、コンパクトディスク、ミニディスク、ＤＶＤ等である。
【００４３】
処理回路が少なくとも１つの専用のハードウェア２００を備える場合、処理回路は、例えば、単一回路、複合回路、プログラム化したプロセッサ、並列プログラム化したプロセッサ、ＡＳＩＣ、ＦＰＧＡ、またはこれらの組み合わせで実現される。例えば、エレベータ制御装置３の要部の各機能は、それぞれ処理回路で実現される。例えば、エレベータ制御装置３の要部の各機能は、まとめて処理回路で実現される。
【００４４】
エレベータ制御装置３の要部の各機能について、一部を専用のハードウェア２００で実現し、他部をソフトウェアまたはファームウェアで実現してもよい。例えば、ファン駆動部４の機能については専用のハードウェア２００としての処理回路で実現し、ファン駆動部４の機能以外の機能については少なくとも１つのプロセッサ１００ａが少なくとも１つのメモリ１００ｂに格納されたプログラムを読み出して実行することにより実現してもよい。
【００４５】
このように、処理回路は、ハードウェア２００、ソフトウェア、ファームウェア、またはこれらの組み合わせでエレベータ制御装置３の要部の各機能を実現する。
【符号の説明】
【００４６】
１  排気ファン
２  吸気ファン
３  エレベータ制御装置
４  ファン駆動部
５  ファン故障信号受信部
６  故障ファン判別部
７  エレベータ異常発報部
１００ａ  プロセッサ
１００ｂ  メモリ
２００  ハードウェア
【図１】
2020169074.tif 000003
【図２】
2020169074.tif 000004
【図３】
2020169074.tif 000005
【図４】
2020169074.tif 000006